(57)【要約】【課題】フォトクロミック材料をコーティングしたボードと、光ビームを発するペンを用いた構成にすることにより、遠隔の位置からでも書き込みと消去をすることができる遠隔書き込みおよび消去装置を提供する。【解決手段】フォトクロミック材料によりコーティングしたボード１１と、フォトクロミック材料１４を着色する着色用光ビーム１９を発する書き込み用ペン１２と、ボードの着色用光ビーム１９により着色された部分を脱色する消去用光ビーム２０を発する消去用ペン１２から成り、ボード１１に書き込み用ペン１２からの着色用光ビーム１９を照射することにより、着色用光ビーム１９を照射された部分が着色されることにより書き込みを行い、ボード１１の着色された部分に消去用ペン１２からの消去用光ビーム２０を照射することにより、着色された部分が脱色される。【選択図】  図１
2004306574.tif 000002
【特許請求の範囲】
【請求項１】
フォトクロミック材料によりコーティングしたボードと、
前記フォトクロミック材料を着色する光ビームを発するライトペンから成り、前記ボードに前記ライトペンからの光ビームを照射することにより、前記光ビームを照射された部分が着色されることにより書き込みを行うことを特徴とする遠隔書き込みおよび消去装置。
【請求項２】
フォトクロミック材料によりコーティングしたボードと、
前記フォトクロミック材料を着色する着色用光ビームを発する書き込み用ペンと、
前記ボードの前記着色用光ビームにより着色された部分を脱色する消去用光ビームを発する消去用ペンから成り、
前記ボードに前記書き込み用ペンからの着色用光ビームを照射することにより、前記着色用光ビームを照射された部分が着色されることにより書き込みを行い、
前記ボードの着色された部分に前記消去用ペンからの消去用光ビームを照射することにより、前記着色された部分が脱色されることを特徴とする遠隔書き込みおよび消去装置。
【請求項３】
フォトクロミック材料によりコーティングしたボードと、
前記フォトクロミック材料を着色する着色用光ビームを発し、
前記ボードの前記着色用光ビームにより着色された部分を脱色する消去用光ビームを発する書き込み消去用ペンから成り、
前記ボードに前記書き込み消去用ペンからの着色用光ビームを照射することにより、前記着色用光ビームを照射された部分が着色されることにより書き込みを行い、
前記ボードの着色された部分に前記書き込み消去用ペンからの消去用光ビームを照射することにより、前記着色された部分が脱色されることを特徴とする遠隔書き込みおよび消去装置。
【発明の詳細な説明】
【０００１】
【発明の属する技術分野】
本発明は、書き込みおよび消去装置に関し、特に、ボードから離れた位置からでもボードに書き込みができ、また、書き込んだ部分を消去することができる遠隔書き込みおよび消去装置に関するものである。
【０００２】
【従来の技術】
従来の書き込みおよび消去装置は、チョークにより書き込む黒板や、ペンにより書き込むホワイトボードや電子黒板などがあった（例えば、特許文献１参照）。
【０００３】
【特許文献１】
特開２００２−２４４６３１号公報
【０００４】
【発明が解決しようとする課題】
しかしながら、黒板やホワイトボードでは、直にチョークを黒板に接触させて文字を書いたり、また、ホワイトボードでは、直にペンをボードに接触させなければ書き込みを行うことができなかった。また、黒板やホワイトボードでは、書き込んだ文字などは、直に消すための道具を接触させることにより消去を行わなければならなかった。そのため、大きな会場や、会議室では、ボードに書くために、ボードの位置まで行く必要があった。
【０００５】
本発明の目的は、上記問題を解決するため、フォトクロミック材料をコーティングしたボードと、光ビームを発するペンを用いた構成にすることにより、遠隔の位置からでも書き込みと消去をすることができる遠隔書き込みおよび消去装置を提供することにある。
【０００６】
【課題を解決するための手段および作用】
本発明に係る遠隔書き込みおよび消去装置は、上記の目的を達成するために、次のように構成される。
【０００７】
第１の遠隔書き込みおよび消去装置（請求項１に対応）は、フォトクロミック材料によりコーティングしたボードと、フォトクロミック材料を着色する光ビームを発するライトペンから成り、ボードにライトペンからの光ビームを照射することにより、光ビームを照射された部分が着色されることにより書き込みを行うことで特徴づけられる。
【０００８】
第１の遠隔書き込みおよび消去装置によれば、フォトクロミック材料によりコーティングしたボードと、フォトクロミック材料を着色する光ビームを発するライトペンから成り、ボードにライトペンからの光ビームを照射することにより、光ビームを照射された部分が着色されることにより書き込みを行うため、遠隔の位置からでも書き込みをすることができる。
【０００９】
第２の遠隔書き込みおよび消去装置（請求項２に対応）は、フォトクロミック材料によりコーティングしたボードと、フォトクロミック材料を着色する着色用光ビームを発する書き込み用ペンと、ボードの着色用光ビームにより着色された部分を脱色する消去用光ビームを発する消去用ペンから成り、ボードに前記書き込み用ペンからの着色用光ビームを照射することにより、着色用光ビームを照射された部分が着色されることにより書き込みを行い、ボードの着色された部分に消去用ペンからの消去用光ビームを照射することにより、着色された部分が脱色されることで特徴づけられる。
【００１０】
第２の遠隔書き込みおよび消去装置によれば、フォトクロミック材料によりコーティングしたボードと、フォトクロミック材料を着色する着色用光ビームを発する書き込み用ペンと、ボードの着色用光ビームにより着色された部分を脱色する消去用光ビームを発する消去用ペンから成り、ボードに前記書き込み用ペンからの着色用光ビームを照射することにより、着色用光ビームを照射された部分が着色されることにより書き込みを行い、ボードの着色された部分に消去用ペンからの消去用光ビームを照射することにより、着色された部分が脱色されるため、遠隔の位置からでも書き込みと消去をすることができる。
【００１１】
第３の遠隔書き込みおよび消去装置（請求項３に対応）は、フォトクロミック材料によりコーティングしたボードと、フォトクロミック材料を着色する着色用光ビームを発し、ボードの着色用光ビームにより着色された部分を脱色する消去用光ビームを発する書き込み消去用ペンから成り、ボードに書き込み消去用ペンからの着色用光ビームを照射することにより、着色用光ビームを照射された部分が着色されることにより書き込みを行い、ボードの着色された部分に書き込み消去用ペンからの消去用光ビームを照射することにより、着色された部分が脱色されることで特徴づけられる。
【００１２】
第３の遠隔書き込みおよび消去装置によれば、フォトクロミック材料によりコーティングしたボードと、フォトクロミック材料を着色する着色用光ビームを発し、ボードの着色用光ビームにより着色された部分を脱色する消去用光ビームを発する書き込み消去用ペンから成り、ボードに書き込み消去用ペンからの着色用光ビームを照射することにより、着色用光ビームを照射された部分が着色されることにより書き込みを行い、ボードの着色された部分に書き込み消去用ペンからの消去用光ビームを照射することにより、着色された部分が脱色されるため、遠隔の位置からでも書き込みと消去をすることができる。
【００１３】
【発明の実施の形態】
以下、本発明の好適な実施形態を添付図面に基づいて説明する。
【００１４】
図１は、本発明の実施形態に係る遠隔書き込みおよび消去装置を示す斜視図である。図１に示すように、遠隔書き込みおよび消去装置１０は、ボード１１と書き込みおよび消去用ペン１２から構成される。
【００１５】
ボード１１は、基板１３とフォトクロミック材料コーティング部１４からなる。基板１３は、プラスチックや金属、無機材料等、板状のものである。フォトクロミック材料コーティング部１４は、フォトクロミック材料をコーティングした部分である。フォトクロミック材料としては、バンドギャップが紫外光域にあり可視光を吸収しない有機材料でも良いし、ガラスやその他の無機材料でも良い。ここでは、例えば、タンタル酸カリウムや、チタン酸ストロンチウムや、その他の酸化物などに、電子が捕獲されたときに可視光に吸収帯を有する不純物準位を形成するＮｉを添加したものを用いる。
【００１６】
書き込みおよび消去用ペン１２は、フォトクロミック材料のバンドギャップ以上のエネルギを有する着色用光ビームを発する第１光源１５と、不純物準位と伝導帯のエネルギ差に対応するエネルギを有する消去用光ビームを発する第２光源１６と、第１光源のオンオフスイッチ１７と、第２光源のオンオフスイッチ１８を有する。第１光源には、例えば、窒化ガリウムなどの紫外光レーザを用い、第２光源には、例えば、ＧａＩｎＰレーザなどの可視光レーザを用いる。
【００１７】
次に、本発明に係る遠隔書き込みおよび消去装置の動作について説明する。まず、遠隔の位置から、書き込みおよび消去用ペンをボード１１のフォトクロミック材料コーティング面１４に向ける。そして、第１の光源１５のオンオフスイッチ１７をオンにし、書き込み用光ビームを照射する。書きたい文字をペン１２からの着色用光ビーム１９で描く。そのときのフォトクロミック材料コーティング部１４での変化を図２により示す。書き込み用光ビーム１９により、フォトクロミック材料の価電子帯から伝導帯に電子が励起され、その電子は、不純物準位に捕獲される（図２（ａ））。この量は、大変多い量である。このとき、不純物準位から伝導帯への電子の励起には可視域のエネルギであるため、着色が起こる（図２（ｂ））。それゆえ、光ビーム１９で書き込まれた部分に着色が起こり、書き込みが行われる。
【００１８】
次に、この書き込み部分に、遠隔の位置から第２の光源１６から消去用光ビーム２０を照射すると、不純物準位に捕獲された電子がすべて、伝導帯に励起され、基底状態にもどるため、不純物準位からの電子の可視光による励起がなくなるので、可視域での吸収がなくなり脱色される（図２（ｃ））。それにより、消去が行われる。
【００１９】
以上のようにして、遠隔の位置からボードに書き込みおよび消去をすることができる。なお、本実施形態においては、書き込みと消去を同じペンの構成で説明したが、書き込み用のペンと消去用のペンと別々に構成することもできる。また、フォトクロミック材料として、無機材料を用いて説明したが、有機フォトクロミック材料を用いても良い。
【００２０】
【発明の効果】
以上の説明で明らかなように本発明によれば、次の効果を奏する。
【００２１】
フォトクロミック材料によりコーティングしたボードと、フォトクロミック材料を着色する着色用光ビームを発する書き込み用ペンと、ボードの着色用光ビームにより着色された部分を脱色する消去用光ビームを発する消去用ペンから成り、ボードに書き込み用ペンからの着色用光ビームを照射することにより、着色用光ビームを照射された部分が着色されることにより書き込みを行い、ボードの着色された部分に消去用ペンからの消去用光ビームを照射することにより、着色された部分が脱色されるため、遠隔の位置からでも書き込みと消去をすることができる。
【図面の簡単な説明】
【図１】本発明の実施形態に係る遠隔書き込みおよび消去装置を示す斜視図である。
【図２】本発明の実施形態に係る遠隔書き込みおよび消去装置の動作を示すエネルギーバンド図である。
【符号の説明】
１０          遠隔書き込みおよび消去装置
１１          ボード
１２          書き込みおよび消去用ペン
１３          基板
１４          フォトクロミック材料コーティング部
１５          第１光源
１６          第２光源
１７          第１光源オンオフスイッチ
１８          第２光源オンオフスイッチ
【図１】
2004306574.tif 000003
【図２】
2004306574.tif 000004